(57)【要約】【課題】データ連動放送の画面サイズや表示位置を受信者側で変更できるようにして，画面をみるユーザの負担を軽減させることの出来るテレビジョン受信機を提供すること。【解決手段】デジタル放送と連動してそのデジタル放送に関連する文字，画像などのデジタルデータを放送するデータ連動放送を受信可能なテレビジョン受信機であって，上記データ連動放送の表示画面のサイズ及び／若しくは表示位置座標を変換する変換手段を備えてなるテレビジョン受信機。【選択図】図３
2008028844.tif 000002
【特許請求の範囲】
【請求項１】
デジタル放送と連動してそのデジタル放送に関連する文字，画像などのデジタルデータを放送するデータ連動放送を受信可能なテレビジョン受信機であって，
上記データ連動放送の表示画面のサイズ及び／若しくは表示位置座標を変換する変換手段を備えてなるテレビジョン受信機。
【請求項２】
上記変換手段による変換の態様が任意に設定可能である請求項１に記載のテレビジョン受信機。
【請求項３】
上記データ連動放送の放送内容が階層構造を持つものであり，上記データ連動放送の画面が上記複数の階層の放送内容を１つの画面に表示する複数階層表示手段を備えたものである請求項１あるいは２のいずれかに記載のテレビジョン受信機。
【請求項４】
上記複数の階層の放送内容を表示する１つの画面を拡大表示する複数階層表示画面拡大手段を備えたものである請求項３に記載のテレビジョン受信機。
【発明の詳細な説明】
【技術分野】
【０００１】
本発明は，複数のテレビ番組の表示とデータ連動放送の表示との組み合わせ表示を可能としたテレビジョン受信機に係り，特にデータ連動放送の表示サイズを変更可能にして，見易さを向上させたテレビジョン受信機に関するものである。
【背景技術】
【０００２】
従来，デジタル放送と連動してそのデジタル放送に関連する文字，画像などのデジタルデータを放送するデータ連動放送が知られている。このようなデータ連動放送は，通常のデジタル番組放送と一緒に送信されており，デジタル番組放送の受信と一緒に取得されているが，その表示のサイズや表示位置座標などについては，送信側でフォーマットが決まっており，一般的には著作権の問題もあり，勝手に表示サイズや表示位置などを変更したりすることは従来行われていなかった。
なお，上記のようなデータ放送受信装置及びテレビジョン受信機としては，特許文献１が知られている。
上記のような従来のテレビジョン受信機では，図１の（ａ）のように，単独の画面に例えばＢＳ１０３ｃｈが放送されている状態（視聴されている状態）で，データ連動放送を呼び出す「データ連動キー」が押されると，図１の（ｂ）のようにＢＳ１０３ｃｈ放送のデータ連動放送が全画面表示されると共に，ＢＳ１０３ｃｈの番組放送画面が上記ＢＳ１０３ｃｈのデータ連動放送に重ねて縮小表示されるように設定されている。この場合，音声は上記縮小表示されているＢＳ１０３ｃｈの番組放送に関する音声である。
上記のようなデータ連動放送と重ねて表示されるデジタル放送やデータ連動放送の表示サイズや表示位置は，前記したように放送局（送信者）側であらかじめ設定されており，そのようなサイズ情報や位置座標情報が文字情報や画像情報と一緒に送信され，受信した側は，そのサイズ情や位置座標情報に合わせて常に一定のサイズで一定の位置に表示することになっている。
【特許文献１】特開平１０−３０４３２７号公報
【発明の開示】
【発明が解決しようとする課題】
【０００３】
上記のように従来のテレビジョン受信機でデータ連動放送を受信する場合，データ連動放送の画面サイズや表示位置が放送局側の都合で決められてしまうので，時として見にくくユーザの嗜好に合致しない場合があった。
さらに，階層構造を伴ったデータ連動放送を受信する場合，ユーザがタグを選択して決定する操作により次の階層が表示される度にデータ連動放送の画面を受信する為，データの受信に時間が掛かり，スムーズな操作が妨げられるものとなっていた。
従って，本発明は上記事情に鑑みてなされたものであり，その第１の目的とするところは，データ連動放送の画面サイズや表示位置及び表示内容を受信者側で変更できるようにして，画面をみるユーザにとって見やすいテレビジョン受信機を提供することである。また、本発明の第２の目的は，階層構造を伴ったデータ連動放送を受信する場合にもスムーズな操作を実現できる画面構成を採用することの出来るテレビジョン受信機を提供することである。
【課題を解決するための手段】
【０００４】
上記目的を達成するために本発明が採用するテレビジョン受信機は，
デジタル放送と連動してそのデジタル放送に関連する文字，画像などのデジタルデータを放送するデータ連動放送を受信可能なテレビジョン受信機であって，上記データ連動放送の表示画面のサイズ及び／若しくは表示位置座標を変換する変換手段を備えてなるテレビジョン受信機である。
このようにデータ連動放送の表示サイズや位置座標を変換できるようにしたので，放送の送信側の都合によらず，ユーザ側の事情でデータ連動放送のサイズや位置座標を設定することが出来，見やすい画面表示を行うことが出来る。
【０００５】
またこのようなサイズや位置座標に関する設定値をユーザが入力でき，それによって変換の態様を変化できるようにすれば，ユーザによる画面の見易さは更に向上する。
上記データ連動放送の放送内容が階層構造を持つものである場合がある。
たとえば，第１階層として，「知る」，「買う」，「楽しむ」，「暮らす」，といった情報の上位概念を示すものであり，第２階層として，上位の「知る」の概念には，「ニュース」，「スポーツ」，「政治」…などの下位概念があり，「買う」の下位概念として「オークション」，「旅行」，「チケット」，…などがあるといった構造である。
このような表示すべき情報が複数階層構造をなしている場合には，1つのページに複数の階層を一度に表示する事ができるようにすることで、いちいち階層をたどらなくても深い階層の放送内容を一度に知ることが出来、放送選択の手間が省け、スムーズな操作を確保する事ができる。
更に、このような複数階層を一度に表示した画面を拡大表示することが出来れば、多くの放送内容の表示が見やすくなり、ユーザの操作間違いなどを防止して、操作の円滑さを向上することが出来る。
【発明の効果】
【０００６】
本発明によれば，放送の送信側の都合によらず，ユーザの事情で任意にデータ連動放送のサイズや位置座標を選ぶことが出来，見やすい画面表示を行うことが出来る。
【発明を実施するための最良の形態】
【０００７】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図２は，本発明の実施の形態に係るテレビジョン受信機の制御ブロック図，図３，図４は，同テレビジョン受信機の画面切り替えに関する制御手順を示すフローチャート，図５〜図７は，テレビジョン受信機の操作手順の実行に従って変化する画面の状態を示す概念図である。
【０００８】
まず，図２のブロック図を用いて，本発明の一実施の形態に係るテレビジョン受信機の概略構成について説明する。
図に示すように，放送電波はアンテナＡＮＴから分配器１を経てテレビジョン受信機Ｔに受信される。このテレビジョン受信機Ｔには，２個のデジタルチューナＣ１およびＣ２が設けられており，上記分配器１から受信された放送電波は，各チューナＣ１およびＣ２を経て復調器Ｒ１およびＲ２でＭＰＥＧ２−ＴＳ信号に復調される。
ＭＰＥＧ２−ＴＳ信号に復調された放送信号は，デコーダ／データ放送処理用のＡＳＳＩＣに入力される。上記ＡＳＳＩＣは上記復調された２つの放送信号を受けて，各信号から番組データと文字多重データとを取り出すデコード／データ処理部３を備えている。
【０００９】
上記デコード／データ処理部３から出力された２系列の番組データと文字多重データとは，番組・データ切り替えスイッチＳＷ１およびＳＷ２を経て，メイン回路Ｃｍとサブ回路Ｃｓに出力される。
上記メイン回路Ｃｍとサブ回路Ｃｓに出力された信号は，ビデオスイッチＳＷ３に入力される。
上記ビデオスイッチＳＷ３から出力されたメインとサブのビデオ信号は，２画面処理を司る映像信号処理回路５に入力され，２画面標示状態では２画面に分離されて，液晶コントローラ７を介して液晶画面ＬＣＤに表示される。
ここでは音声信号については通常の処理であるので説明は省略されている。
【００１０】
ここにおいて，前記デコード／データ処理部３および番組・データ切り替えスイッチＳＷ１，ＳＷ２は，ＡＳＳＩＣの制御部１３により制御される。
またこの制御部１３は，外部のリモコン（不図示）によって操作されるマイクロコンピュータ（以下マイコンという）１５により制御される。従って，結果的に前記デコード／データ処理部３および番組・データ切り替えスイッチＳＷ１，ＳＷ２は，マイコン１５により制御される。
上記マイコン１５は，更に前記デジタルメインチューナＣ１およびサブチューナＣ２，更には，前記ビデオスイッチＳＷ３の切り替え制御を行うとともに，前記映像信号処理部５の制御をも行う。制御内容については後述される
またＤＶＤ，ＣＤ−ＲＯＭ等の外部入力あるいはアナログチューナからの信号も上記ビデオスイッチＳＷ３に入力され，番組データや文字多重データと同様に処理される。
【００１１】
次に図３及び図５を参照して上記マイコン１５による画面切り替えの手順について説明する。
ここにＳ１，Ｓ２…は上記マイコン１５の処理手順（ステップ）の番号を示す。
図５（ａ）に示すよう，にモニターに１画面の映像（図の場合ＢＳ１０３ｃｈの画像）が表示されている（Ｓ１）状態から処理はスタートする。
この状態では，マイコン１５からの指令によって，ＡＳＳＩＣの番組・データ切り替えスイッチＳＷ１が番組側に切り替えられており，かつビデオスイッチＳＷ３がメイン画面のみを出力するように制御されている。これにより，液晶画面ＬＣＤは番組情報のメイン画面のみを表示している。
【００１２】
ここでユーザによって「データ連動キー」（不図示）が押された（Ｓ２でｙｅｓ）場合，これを検出したマイコン１５は，サブチューナＣ２をメインチューナＣ１が選局しているチャンネルと同じチャンネルに選局すると共に，ＡＳＳＩＣの番組・データ切り替えスイッチＳＷ１はそのままにして，番組・データ切り替えスイッチＳＷ２をデータ側，即ち文字多重情報側に切り替える。これによって，ビデオスイッチＳＷ３には１つのチャンネルの番組情報がメイン回路Ｃｍから，文字多重情報がサブ回路Ｃｓから入力される。
ここでマイコン１５は，上記ビデオスイッチＳＷ３をサブ回路Ｃｓ側に切り替える。これによって映像信号処理回路５には，サブ回路Ｃｓを流れる文字多重放送，即ち，現在まで視聴していたチャンネルのデータ連動放送（文字多重放送）が伝達される。マイコン１５は，図５（ｂ）に示すように，映像信号処理回路５により画面全体にデータ連動放送を表示する（Ｓ３）。
【００１３】
次に再度「データ連動キー」或いは「２画面キー」のいずれかが押される（Ｓ４でｙｅｓ）と，映像信号処理回路５は，この情報を受けたマイコン１５からの指令により，画面を図５の（ｃ）のように２画面状態に設定し，番組放送（たとえばＢＳ１０３ｃｈ）を左側画面（メイン画面）に，同じチャンネルのデータ連動放送を右画面（サブ画面）に表示する（Ｓ５）。
この時，従来のテレビジョン受信機であれば，放送局側から送られてくる画像のサイズや表示位置座標に合わせて，図１（ｂ）のように番組放送（ＢＳ１０３ｃｈ）を縮小表示すると共に，データ連動放送を全画面表示していたが，この実施形態では，マイコン１５が，送られてくる画像サイズや表示位置座標を変換して，番組放送（ＢＳ１０３ｃｈ）と，データ連動放送の両方を，２画面表示の左右の画面に収まるようなサイズと表示位置座標に変換して映像信号処理回路５に出力するので，上記図５（ｃ）に記載のような２画面画像が得られる。
【００１４】
上記のような２画面表示が実行されているときに図示せぬ「戻るキー」がユーザによって押されると（Ｓ６でｙｅｓ），この信号を受けたマイコン１５は，映像信号処理回路５に画面を図５（ｂ）で示したデータ連動放送単独の画面に戻す信号を送り，単画面表示に戻す（Ｓ７）。
また，前記Ｓ３のようにデータ連動放送の単画面表示をしているときに，図外の「戻るキー」がユーザによって押されると（Ｓ８でｙｅｓ），この信号を受けたマイコン１５は，映像信号処理回路５に画面を図５（ａ）で示した番組放送単独の画面に戻す信号を送り，単画面表示に戻す（Ｓ９）。
【００１５】
上記のようにこの実施形態では，放送局から送信されてくる映像のサイズと位置座標を受信者側の２画面などの表示形態に合うように変換するので，放送番組やデータ連動の文字画像が見やすい状態となる。
上記の実施形態では，上記放送内容の画像のサイズ及び位置座標を受信側で設定するようにサイズ及び位置座標を変換する変換手段を備えているが，このような変換の内容については，受信テレビジョン側で任意に設定できるようにしても良い。このような変換情報の設定は，例えばリモコン側の入力操作によって入力可能にしておくことで，ユーザが見やすいサイズや位置を自分の好みに設定できるので，ユーザの使用の範囲を広げるものである。
例えば，サイズ変更キーや表示位置変更キーといったキーを設けて，そのキーが押されると，サイズ変換のためのデータを変更するためのプログラムを立ち上げるようにしても良い。このプログラムが立ち上がると，上記データの入力を促し，データが入力されれば，そのデータに基づいてサイズや位置を変更するといったものでよい。
【００１６】
次に上記実施形態の変形例を図４および図６を参照して説明する。
この実施形態では，データ連動放送が階層構造を持っている場合である。
図６（ａ）に示すようにモニターに１画面の映像（図の場合ＢＳ１０３ｃｈの画像）が表示されている（Ｓ１１）状態から処理はスタートする。
この状態では，マイコン１５からの指令によって，ＡＳＳＩＣの番組・データ切り替えスイッチＳＷ１が番組側に切り替えられており，かつビデオスイッチＳＷ３がメイン画面のみを出力するように制御されている。これにより，液晶画面ＬＣＤは番組情報のメイン画面のみを表示している。
【００１７】
ここでユーザによって「データ連動キー」（不図示）が押された（Ｓ１２でｙｅｓ）場合，これを検出したマイコン１５は，サブチューナＣ２をメインチューナＣ１が選局しているチャンネルと同じチャンネルに選局すると共に，ＡＳＳＩＣの番組・データ切り替えスイッチＳＷ１はそのままにして，番組・データ切り替えスイッチＳＷ２をデータ側，即ちデータ連動放送側に切り替える。これによって，ビデオスイッチＳＷ３には１つのチャンネルの番組情報がメイン回路Ｃｍから，データ連動放送の情報がサブ回路Ｃｓから入力される。
ここでマイコン１５は，上記ビデオスイッチＳＷ３をメイン回路Ｃｍとサブ回路Ｃｓの両方が接続されるように切り替える。これによって映像信号処理回路５には，メイン回路Ｃｍを流れる番組放送画面（ＢＳ１０３ｃｈ）と，サブ回路Ｃｓを流れるデータ連動放送が伝達される。
【００１８】
ここでマイコン１５は，映像信号処理回路５を制御して図６（ｂ）に示すように，映像信号処理回路５により番組放送とデータ連動放送を２画面表示する（Ｓ１３）。
この時，データ連動放送は例えばＡ，Ｂ，Ｃ，Ｄといった階層的概念を表示している。上記Ａ，Ｂ，Ｃ，Ｄは，例えば図７に示すように，天気，スポーツ，ニュース，趣味などの上位概念を示すタグ（キー）からなっている。
【００１９】
この時，マイコン１５が，送られてくる画像サイズや表示位置座標を変換して，番組放送（ＢＳ１０３ｃｈ）と，データ連動放送の両方を，２画面表示の左右の画面に収まるようなサイズと表示位置座標に変換して映像信号処理回路５に出力するので，上記図６（ｃ）に記載のような２画面画像が得られる。
【００２０】
次に再度「データ連動キー」が押される（Ｓ１４でｙｅｓ）と，映像信号処理回路５は，この情報を受けたマイコン１５からの指令により，画面を図６の（ｃ）（具体例は図７の（ｂ）参照）のように２画面状態に設定し，番組放送（たとえばＢＳ１０３ｃｈ）を左側画面（メイン画面）に縮小表示し，同じチャンネルのデータ連動放送の第１階層目と第２階層目を右画面（サブ画面）に表示する（Ｓ１５）。
この時の右側画面の詳細の一例が図７（ｂ）に示されている。
即ち，例えば「天気」という第１階層に対応する第２階層は「週間天気」，「全国の天気」，「警報，注意報」などであり，「スポーツ」という第１階層に対応する第２階層は，「大リーグ」，「Ｊリーグ」，「オリンピック」などである。
上記データ連動放送の画面が上記複数の階層の放送内容を１つの画面に表示する処理を行う処理手順を実行するマイコン１５が、複数階層表示手段の一例である。
【００２１】
この時，従来のテレビジョン受信機であれば，放送局側から送られてくる画像のサイズや表示位置座標に合わせて，図１（ｂ）のように番組放送（ＢＳ１０３ｃｈ）を縮小表示すると共に，文字多重放送（ＢＳ１０３のデータ連動放送）を全画面表示していたが，この実施形態では，マイコン１５が，送られてくる画像サイズや表示位置座標を変換して，所定の大きさに縮小された番組放送（ＢＳ１０３ｃｈ）と，大きいサイズのデータ連動放送（ＢＳ１０３のデータ連動放送）の両方を，２画面表示の左右の画面に収まるようなサイズと表示位置座標に変換して映像信号処理回路５に出力するので，上記図６（ｃ）に示すような特殊な２画面画像を得ることができる。
上記複数の階層の放送内容を表示する１つの画面を拡大表示する処理手順を実行するマイコン１５が、複数階層表示画面拡大手段の一例である。
【００２２】
上記のような２画面表示が実行されている時にどれかのタグがユーザによって選択され，決定されると（Ｓ１６においてｙｅｓ），選択されたタグの次の階層が表示される（Ｓ１７）。このように，この実施例では，上記データ連動放送の放送内容が階層構造を持つものであり，上記データ連動放送の画面が上記階層を選択するためのタグなどの階層選択部を備えたテレビジョン受信機が提供される。
更に，図示はしないが，いずれかの階層において，戻るキーが押されると，前の階層の表示状態に戻る。
【００２３】
また図６（ｂ）の２画面状態において，図示せぬ「戻るキー」がユーザによって押されると（Ｓ１８でｙｅｓ），この信号を受けたマイコン１５は，映像信号処理回路５に画面を図６（ａ）で示したデータ連動放送単独の画面に戻す信号を送り，単画面表示に戻す（Ｓ１９）。
【００２４】
上記のようにこの実施形態では，放送局から送信されてくる映像のサイズと位置座標を受信者側の２画面などの表示形態に合うように変換するので，放送番組やデータ連動の文字画像が見やすい状態となる。
また、従来の放送内容表示方法では、放送内容が複数の階層をもって構成されている場合でも、１つの階層を表示するのみであったので、ある階層を表示しているときにその表示されている放送内容の上位の階層或いは下位の階層の放送内容に何があるかについては、いちいち上の、又は下の階層をたどらないと（画面を切り替えないと）確認することが出来なかったため、ユーザにとってきわめて煩わしい操作が必要であった。これに対して上記のようにこの実施形態では、１つの画面に同時に複数の階層に係る放送内容が表示されるので、関連する階層を見るためにその都度画面を切り替えるといった煩わしい操作からユーザを解放することが出来るようになった。
また、複数の階層に属するタグを同時に表示できるので、より多くの種類のタグから選択することができ、さらに１回のタグ選択・決定操作で例えば第３階層のデータ画面に切換ることになる。これにより、第１階層で選択したタグの第２階層に所望する情報が無かった場合、戻るキーを押して一旦第１階層に戻り、さらに別のタグを選択して第２階層へ切り換えるなどの無駄な操作と時間の浪費が解消される。
さらに、上記実施形態のようにマイコン１５が，送られてくる画像サイズや表示位置座標を変換して，大きいサイズのデータ連動放送（ＢＳ１０３のデータ連動放送）を，２画面表示の一方の画面に収まるようなサイズと表示位置座標に変換して映像信号処理回路５に出力するので、多数の放送内容のタイトルがリストアップされても、見やすい画面の大きさを確保できるので、ユーザにとって操作が円滑に行いうるという長所が発揮される。
【図面の簡単な説明】
【００２５】
【図１】従来のデータ連動画面の変化状態を示す概念図。
【図２】本発明の実施の形態に係るテレビジョン受信機の制御ブロック図。
【図３】本発明の実施の形態に係るテレビジョン受信機の画面切り替えに関する制御手順を示すフローチャート。
【図４】本発明の実施の形態に係るテレビジョン受信機の画面切り替えに関する制御手順を示すフローチャート。
【図５】テレビジョン受信機の操作手順の実行に従って変化する画面の状態を示す概念図。
【図６】テレビジョン受信機の操作手順の実行に従って変化する画面の状態を示す概念図。
【図７】テレビジョン受信機の操作手順の実行に従って変化する画面の状態を示す概念図。
【符号の説明】
【００２６】
ＡＮＴ…アンテナ
１…分配器
Ｔ…テレビジョン受信機
Ｃ１，Ｃ２…デジタルチューナ
Ｒ１，Ｒ２…復調器
３…デコード／データ処理部
ＳＷ１，ＳＷ２…番組・データ切り替えスイッチ
Ｃｍ…メイン回路
Ｃｓ…サブ回路
ＳＷ３…ビデオスイッチ
５…映像信号処理回路
７…液晶コントローラ
ＬＣＤ…液晶画面
【図１】
2008028844.tif 000003
【図２】
2008028844.tif 000004
【図３】
2008028844.tif 000005
【図４】
2008028844.tif 000006
【図５】
2008028844.tif 000007
【図６】
2008028844.tif 000008
【図７】
2008028844.tif 000009